(57)【要約】【課題】床暖房パネル表面温度のバラツキを小さくすることができる温水式床暖房パネルの提供。【解決手段】２枚の銅板を、その間に所定のパターンで圧着防止剤を介在させた状態で加圧して接合させると、圧着防止剤を介在させた部分に非接合部が形成される。この非接合部に流体圧を導入すると銅板が膨出されて管状膨出部を有するロールボンドパネルが得られる。このロールボンドパネルの管状膨出部を温水通路とした温水式床暖房パネル。【選択図】  図２
2004309001.tif 000002
【特許請求の範囲】
【請求項１】
２枚の銅板を、その間に所定のパターンの非接合部が形成されるように接合させ、前記非接合部に流体圧を導入することにより銅板を膨出させて管状膨出部を形成したロールボンドパネルの前記管状膨出部を温水通路としたことを特徴とする温水式床暖房パネル。
【請求項２】
前記ロールボンドパネルは、２枚の銅板の一方面を膨出させ、他方面は平坦にしたものである請求項１記載の温水式床暖房パネル。
【発明の詳細な説明】
【０００１】
【発明の属する技術分野】
本発明は、温水式床暖房パネルに関し、特に、ロールボンドパネルを用いることにより表面温度のバラツキを小さくした温水式床暖房パネルに関するものである。
【０００２】
【従来の技術】
温水式床暖房パネルとして、銅管を温水通路したハードパネルと、樹脂管を温水通路したソフトパネルが従来より使用されている。銅管を用いた従来の温水式床暖房パネルの温水通路パターンの一例を図５に、また、部分断面の一例を図６にそれぞれ示す。５１は温水通路としての銅管、５２は放熱板、５３は温水の温度を効率良く放熱板５２に伝熱するためのアルミニウム製の伝熱板、５４は木質系材料からなるベースボード、５５は裏板であり、銅管５１の周囲に配置した放熱板５２、伝熱板５３、ベースボード５４および裏板５５を貼り合わせ一体化して温水式床暖房パネル（ハードパネル）が構成されている。なお、ソフトパネルは、銅管５１の代わりに架橋ポリエチレン管が用いられ、また、ベースボード５４として発泡ポリスチレンが用いられているのが一般的である。一畳〜四畳大の床暖房パネルを施工配管し、ボイラなどから配管内に温水を循環させることで、頭寒足熱の快適暖房が実現している。
【０００３】
しかし、上記した温水式床暖房パネルでは、配管から放熱板５２に温水の熱を効率よく伝えるために伝熱板５３を設けているにも拘わらず、パネル表面で５〜８℃の温度バラツキが発生するという問題がある。また、広い床面積になる程温度バラツキも大きくなり、快適性の観点から改善が求められている。
【０００４】
この解決策として、銅管や架橋ポリエチレン管の配管ピッチ（配管間隔）を狭くすることが考えられるが、銅管や架橋ポリエチレン管を小さな曲げ半径で加工するには、座屈などの発生のために限度がある。伝熱板５３を熱伝導率の大きな材料にしたり、板厚を大きくしたりすることも有効ではあるが、価格や寸法などの点から限界がある。
【０００５】
温度バラツキやパネルの加工性を改善するものとして、アルミニウム、ロールボンド材製のパネル本体を有する暖房パネルがある（例えば、特許文献１参照）。
【０００６】
【特許文献１】
実公平６−４３６１７号公報（第１図）
【０００７】
【発明が解決しようとする課題】
しかし、特許文献１に記載された暖房パネルによると、パネル本体の発熱がアルミニウムの熱伝導率に依存するため、温度条件によってはパネル面に５〜８℃の温度むらが生じるという問題がある。また、アルミニウムを用いているので、パネル本体の発熱性を高めるためにロールボンド材の厚さを減じると、パネル本体の機械的強度が低下する。また、長期的な使用における耐食性の低下において漏水や温水等の循環不良が生じるという問題がある。
【０００８】
本発明は、上記した従来技術の問題を解決するためになされたもので、床暖房パネル表面温度のバラツキを小さくすることができる温水式床暖房パネルの提供を目的とする。また、本発明は、強度ならびに水および温水に対する耐食性に優れた温水式床暖房パネルの提供を目的とする。
【０００９】
【課題を解決するための手段】
上記目的を達成するため、本発明の温水式床暖房パネルは、２枚の銅板を、その間に所定のパターンの非接合部が形成されるように接合させ、前記非接合部に流体圧を導入することにより銅板を膨出させて管状膨出部を形成したロールボンドパネルの前記管状膨出部を温水通路としたことを特徴とするものである。
【００１０】
このように、ロールボンドパネルに形成された管状膨出部を温水通路とすることにより、フレキシビリティに富んだ温水通路の形成が可能となる。このため、温水通路の配管ピッチを小さくすることが可能となり、暖房パネル表面温度のバラツキを小さくすることができる。
【００１１】
２枚の銅板を、所定のパターンの非接合部を有するように接合させる方法としては特に限定されないが、その間に所定のパターンで圧着防止剤を介在させ、圧延等により圧着させることにより、圧着防止剤を介在させた部分に非接合部が、圧着防止剤を介在させない部分に接合部が容易に形成される。
【００１２】
また、ロールボンドパネルにおける２枚の金属板の一方面を膨出させ、他方面を平坦にし、平坦面を上部放熱板とすることにより、温水通路から直接熱が伝わるようになり、伝熱板がなくとも優れた伝熱効果を発揮できるようになる。
【００１３】
さらに、金属板として銅板を使用することにより、材厚を薄くしたとしても機械的強度に優れ、また、長期にわたって水および温水に対する安定した耐食性を有する温水式床暖房パネルを実現できる。
【００１４】
【発明の実施の形態】
図１および図２は、本発明の温水式床暖房パネルの一実施の形態の説明図であり、図１には、ロールボンドパネルにより形成される温水通路パターンが、また、図２には、部分断面が示されている。２枚の銅板２、３をその間の予め定めた位置に圧着防止剤が所定のパターンで介在されるようにして重ね合わせ、圧延ロール等により加圧して接合する。このとき、２枚の金属板の間のうち圧着防止剤が介在されていない部分のみが接合され、圧着防止剤が介在されている部分は非接合部となる。次いで、非接合部に圧縮空気等の流体圧を加え、銅板２、３を膨出させて管状膨出部を形成することにより、ロールボンドパネル１が形成され、この管状膨出部が温水通路４として使用される。
【００１５】
本実施の形態においては、２枚の銅板２、３のうち、銅板３を膨出させ、他方の銅板２の面を平坦にし、平坦面を上部放熱板としている。ロールボンドパネル１の下方には、機械的補強および断熱のためのベースボード５が設けられている。このように、２枚の銅板の一方面を膨出させ、他方面を平坦にし、平坦面を上部放熱板とすることにより、温水通路から直接熱が速やかに伝わるようになり、伝熱板がなくとも優れた伝熱効果を発揮できるようになる。
【００１６】
図３は、本発明の温水式床暖房パネルの他の実施の形態を示したものである。本実施の形態は、ロールボンドパネル３１に形成される温水通路３４のパターンを、（イ）および（ロ）の２方向から温水を供給し、（ハ）から排水するように構成したもので、パネル表面温度を速やかにより均一なものとすることができる。
【００１７】
図４は、本発明の温水式床暖房パネルのさらに他の実施の形態を示したものである。本実施の形態は、ロールボンドパネル４１の温水通路４４のパターンを碁盤目状にしたもので、パネル表面温度を速やかにより均一なものとすることができる。
【００１８】
【発明の効果】
以上説明してきたとおり、本発明は、ロールボンドパネルの管状膨出部を温水通路とした温水式床暖房パネルを提供するものであり、フレキシビリティに富んだ温水通路の形成が可能となる。このため、温水通路の配管ピッチを小さくすることにより暖房パネル表面温度のバラツキを小さくすることができ、より快適な暖房を実現できるようになる。
【００１９】
また、ロールボンドパネルにおける２枚の金属板の一方面を膨出させ、他方面を平坦にし、平坦面を上部放熱板とすることにより、温水通路から直接熱が伝わるようになり、伝熱板がなくとも優れた伝熱効果を発揮できるようになる。
【００２０】
さらに、金属板として銅板を使用することにより、材料を薄くしたとしても機械的強度に優れ、また、長期にわたって水および温水に対する安定した耐食性を有する温水式床暖房パネルを実現できる。
【図面の簡単な説明】
【図１】本発明の温水式床暖房パネルの一実施の形態の説明図で、温水通路パターンを示したものである。
【図２】本発明の温水式床暖房パネルの一実施の形態の説明図で、断面構造を示したものである。
【図３】本発明の温水式床暖房パネルの他の実施の形態の説明図で、温水通路パターンを示したものである。
【図４】本発明の温水式床暖房パネルの他の実施の形態の説明図で、温水通路パターンを示したものである。
【図５】温水式床暖房パネルの従来例の説明図で、温水通路パターンを示したものである。
【図６】温水式床暖房パネルの従来例の説明図で、断面構造を示したものである。
【符号の説明】
１：ロールボンドパネル
２、３：銅板
４：温水通路  （非接合部）
５：ベースボード
【図１】
2004309001.tif 000003
【図２】
2004309001.tif 000004
【図３】
2004309001.tif 000005
【図４】
2004309001.tif 000006
【図５】
2004309001.tif 000007
【図６】
2004309001.tif 000008